(57)【要約】  光が入射する入射面に近い記録層である第１の記録層および該第１の記録層よりも前記入射面から遠い記録層である第２の記録層を有する光ディスクに情報を記録する際に前記第１の記録層の一部と前記第２の記録層の一部で形成される記録領域を予約し、前記第１の記録層の一部に情報を記録した後に前記第２の記録層の一部に対して前記情報の記録を行なう記録方法を使用する際に、前記第１の記録層の一部と前記第２の記録層の一部とで構成される第１の記録領域と、前記第１の記録領域とは異なる記録領域であって、前記第１の記録層の一部と前記第２の記録層の一部とで構成される第２の記録領域との間に形成された隙間領域に対してパディングを行うか否かを判断する。【特許請求の範囲】
【請求項１】
光が入射する入射面に近い記録層である第１の記録層および該第１の記録層よりも前記入射面から遠い記録層である第２の記録層を有する光ディスクに情報を記録する際に前記第１の記録層の一部と前記第２の記録層の一部で形成される記録領域を予約し、前記第１の記録層の一部に情報を記録した後に前記第２の記録層の一部に対して前記情報の記録を行なう記録方法であって、
前記第１の記録層の一部と前記第２の記録層の一部とで構成される第１の記録領域と、
前記第１の記録領域とは異なる記録領域であって、前記第１の記録層の一部と前記第２の記録層の一部とで構成される第２の記録領域との間に形成された隙間領域に対してパディングを行うか否かを判断することを含む記録方法。
【請求項２】
前記第１の記録領域に含まれる前記第１の記録層の一部と、前記第２の記録領域に含まれる前記第１の記録層の一部とは隣接して形成され、
前記第１の記録領域に含まれる前記第２の記録層の一部と、前記第２の記録領域に含まれる前記第２の記録層の一部とは離間して形成され、
前記隙間領域は、前記第１の記録領域に含まれる前記第２の記録層の一部と、前記第２の記録領域に含まれる前記第２の記録層の一部との間の領域であることを特徴とする請求項１に記載の記録方法。
【請求項３】
前記パディングを行うか否かを判断するために使用するフラグを前記光ディスクの所定の位置に設定することを特徴とする請求項１に記載の記録方法。
【請求項４】
前記フラグは、記録中に検出された隙間領域の総数が所定の個数以下であって、かつファイナライズ処理を行なっていない場合に、前記光ディスクの所定の位置に設けられることを特徴とする請求項３に記載の記録方法。
【請求項５】
前記フラグは、最新の隙間領域が所定の基準を満足し、記録中に検出された隙間領域の総数が所定の個数以下であって、かつファイナライズ処理を行なっていない場合に、前記光ディスクの所定の位置に設けられることを特徴とする請求項３に記載の記録方法。
【請求項６】
前記所定の基準は、前記最新の隙間領域の記録容量が所定の記録容量以上であるかであって、
前記最新の隙間領域の記録容量が前記所定の記録容量以上である場合に、前記所定の基準を満足すると判断することを特徴とする請求項５に記載の記録方法。
【請求項７】
前記光ディスクの所定の位置に設けられた前記フラグに基づいて、前記隙間領域に所定の情報を記録することを更に含む請求項３に記載の記録方法。
【請求項８】
前記隙間領域に記録される前記所定の情報は、前記光ディスクに記録された情報を再生するための情報であることを特徴とする請求項７に記載の記録方法。
【請求項９】
前記隙間領域に記録される前記所定の情報は、前記光ディスクに記録された前記データの付帯情報であることを特徴とする請求項７に記載の記録方法。
【請求項１０】
前記隙間領域に記録される前記所定の情報は、前記光ディスクに記録された前記データのうちの映像データまたは音声データの特徴を示す情報であることを特徴とする請求項７に記載の記録方法。
【請求項１１】
前記隙間領域に対してパディングを行なった場合に、当該パディングを行なった領域を特定するための情報であるパディング領域情報を記録することを特徴とする請求項１に記載の記録方法。
【請求項１２】
前記パディング領域情報は、当該領域の開始ＰＳＮまたは最終ＰＳＮを含むことを特徴とする請求項１１に記載の記録方法。
【請求項１３】
前記パディング領域情報は、前記パディングを行なっていない他の隙間領域に記録されることを特徴とする請求項１１に記載の記録方法。
【請求項１４】
前記パディング領域情報は、前記光ディスクにおける記録領域のうち、ファイルシステムが認識可能な記録領域に記録されることを特徴とする請求項１１に記載の記録方法。
【請求項１５】
前記光ディスクは、当該光ディスクに記録された情報の書換えが可能であることを特徴とする請求項１１に記載の記録方法。
【請求項１６】
請求項３に記載の記録方法によってデータが記録された記録媒体であって、
前記光ディスクに対するデータの記録に関する情報を管理する記録管理領域に、隙間領域に対するパディング処理の可否を示すフラグを有することを特徴とする記録媒体。
【請求項１７】
請求項１５に記載の記録媒体を再生する再生装置であって、
前記隙間領域に記録された前記所定の情報を読み出す読み出し手段と、
前記所定の情報に対応するデータを検索する検索手段と、
該検索手段によって検索されたデータを再生する再生手段とを備える再生装置。
【請求項１８】
請求項１５に記載の記録媒体を再生する再生方法であって、
前記隙間領域に記録された前記所定の情報を読み出し、
前記所定の情報に対応するデータを検索し、
該検索手段によって検索されたデータを再生することを含む再生方法。
【請求項１９】
第１の記録層および第２の記録層を有する光ディスクにデータを記録する記録装置であって、
前記第１の記録層の一部と前記第２の記録層の一部とで構成される第１の記録領域、および、前記第１の記録領域とは異なる記録領域であって、前記第１の記録層の一部と前記第２の記録層の一部とで構成される第２の記録領域を予約する記録領域予約手段と、
前記第１の記録領域と前記第２の記録領域との間に形成された隙間領域を検出する隙間領域検出手段と、
該隙間領域に対してパディングをするか否かを示すフラグを前記光ディスクの所定の位置に設けるフラグ設定手段を備える記録装置。
【発明の詳細な説明】
【技術分野】
【０００１】
本発明は、複数の記録層を有する光ディスクに対して情報を記録する記録方法および記録装置に関する。また、前記記録方法または前記記録装置によって前記情報が記録された光ディスクに関する。さらに、当該光ディスクを再生する再生方法ならびに再生装置に関する。
【背景技術】
【０００２】
従来の、複数の記録層を有する光ディスクに対して情報を記録する記録方法においては、光ディスクを構成する複数の記録層のうち、レーザ光が入射する側（以下、読み出し側ともいう。）から遠い記録層に情報の記録をする際、読み出し側に近い記録層において既に情報が記録されている部分と未記録部分との透過率の違いによってレーザパワーが不適当な強度となることを回避するため、前記読み出し側から遠い記録層の記録領域の記録開始位置等をシフトする（例えば、特許文献１）。【０００３】
また、従来の、２つの記録層を有するＤＶＤ（Ｄｉｇｉｔａｌ  Ｖｅｒｓａｔｉｌｅ  Ｄｉｓｃ）に対して情報を記録する記録方法においては、Ｌａｙｅｒ  Ｊｕｍｐ  Ｒｅｃｏｒｄｉｎｇという記録方式が採用されている。このＬａｙｅｒ  Ｊｕｍｐ  Ｒｅｃｏｒｄｉｎｇでは、読み出し側から遠い記録層（以下、読み出し側に近い記録層をレイヤ０といい、遠い記録層をレイヤ１という）における記録領域の記録開始位置が、レイヤ０の記録領域の記録終了位置よりも内周側に位置する場合がある。また、レイヤ１の記録領域の記録終了位置が、レイヤ０の記録領域の記録開始位置よりも外周側に位置する場合もある。これら場合には、レイヤ０への情報の記録が行なわれるまで情報の記録ができない領域がレイヤ１において形成される。そして、当該領域は、ＤＶＤプレーヤとの再生互換をとるために、最終的には、パディング処理によってダミーのピット構造（例えば、意味をなさない値“０”）が形成される。なお、パディング処理を行なうタイミングは光学ドライブの仕様となる（例えば、非特許文献１）。【０００４】
【特許文献１】特表２００４−５１９８１０号公報（第９頁、第２図）
【非特許文献１】４．１７  Ｒｅｃｏｒｄｉｎｇ  ｆｏｒ  ＤＶＤ−Ｒ  ｄｕａｌ  ｌａｙｅｒ  ｍｅｄｉａ（Ｍｔ． Ｆｕｊｉ規格提案文書）、［online］、［平成１６年１２月１４日検索］、インターネット＜ＵＲＬ：ftp://ftp.avc-pioneer.com/Mtfuji_6/Proposal/DEC04/Pioneer/DualRMODEL041210.pdf＞
【発明の開示】
【発明が解決しようとする課題】
【０００５】
上述のように、従来の記録方法においては、レイヤ１に形成される、レイヤ０への情報の記録が行なわれるまで情報の記録ができない領域（以下、隙間領域ともいう）にダミーのピット構造が強制的に形成されてしまう。具体的には、記録装置の光学ドライブが、当該隙間領域にダミーのピット構造を自動的に形成してしまう。【０００６】
レイヤ０への記録が行なわれた後であれば、当該隙間領域も情報の記録が可能な領域（ブランクエリア）である。しかしながら、上述したように、当該隙間領域にはダミーのピット構造が強制的に形成されてしまう。そのため、当該隙間領域には情報の記録を行なうことができない。したがって、前記レイヤ１の記録容量を無駄に消費してしまい、当該レイヤ１に情報を記録できる容量を実質的に少なくしてしまう。【０００７】
そこで、本発明は、上述のような課題を解決するためになされたものであって、前記レイヤ１の記録容量を無駄にすることなく、当該レイヤ１により多くの情報を記録することができる記録方法を得るものである。
【課題を解決するための手段】
【０００８】
本発明に係る記録方法は、光が入射する入射面に近い記録層である第１の記録層および該第１の記録層よりも前記入射面から遠い記録層である第２の記録層を有する光ディスクに情報を記録する際に前記第１の記録層の一部と前記第２の記録層の一部で形成される記録領域を予約し、前記第１の記録層の一部に情報を記録した後に前記第２の記録層の一部に対して前記情報の記録を行なう記録方法であって、前記第１の記録層の一部と前記第２の記録層の一部とで構成される第１の記録領域と、前記第１の記録領域とは異なる記録領域であって、前記第１の記録層の一部と前記第２の記録層の一部とで構成される第２の記録領域との間に形成された隙間領域に対してパディングを行うか否かを判断することを含む。
【発明の効果】
【０００９】
本発明に係る記録方法によれば、光ディスクの読み出し側から遠い記録層に多くの情報を記録できる。
【発明を実施するための最良の形態】
【００１０】
実施の形態１．
図１は、実施の形態１における情報記録再生装置１０００の構成を示すブロック図である。当該情報記録再生装置１０００においては、光ディスク１０２に対する情報の記録、または光ディスク１０２に記録された情報の再生を行なう。以下、まず、情報記録再生装置１０００において、光ディスク１０２に情報の記録を行なう場合における各部の動作について説明する。【００１１】
図１において、ユーザが操作部１１８を操作することによって記録が指示されると、当該情報記録再生装置１０００に接続された外部機器（例えば、テレビジョン放送を受信する受信装置等。図示せず。）から入力される情報（以下、入力情報ともいう）を光ディスクに記録する旨の信号（以下、記録開始信号ともいう）がシステムコントローラ１１７からビデオ入出力部１１５およびオーディオ入出力部１１６に入力される。なお、前記入力情報に含まれる情報のうち、映像データ（以下、入力映像データともいう）はビデオ入出力部１１５に入力され、音声データ（以下、入力音声データともいう）はオーディオ入出力部１１６に入力される。【００１２】
ビデオ入出力部１１５は、システムコントローラ１１７から入力された記録開始信号に応じて、圧縮／伸張処理部１１１が処理可能な所定の信号に入力映像データを変換する。また、オーディオ入出力部１１６は、圧縮／伸張処理部１１１が処理可能な所定の信号に入力音声データを変換する。【００１３】
圧縮／伸張処理部１１１において、ビデオ処理部１１３は、入力映像データを圧縮して多重化処理部１１２に出力する。また、オーディオ処理部１１４は、入力音声データを圧縮して多重化処理部１１２に出力する。そして、多重化処理部１１２は、圧縮された、入力映像データおよび入力音声データを多重化して入出力制御部１１０に出力する。なお、以下の説明においては、多重化処理部１１２において多重化されたデータを映像データストリームともいう。また、圧縮された映像データまたは音声データを圧縮映像データまたは圧縮音声データともいう。【００１４】
なお、前記圧縮／伸張処理部１１１における具体的な処理は、例えば、以下のようにして行なう。すなわち、ビデオ入出力部１１５は、入力映像データをＩＴＵ−Ｒ  ＲＥＣ６５６信号（以下、ＲＥＣ６５６信号ともいう。）に変換する。また、オーディオ入出力部１１６は、入力音声データをＰＣＭ（Ｐｕｌｓｅ  Ｃｏｄｅ  Ｍｏｄｕｌａｔｉｏｎ）信号に変換する。そして、ビデオ処理部１１３は、前記ＲＥＣ６５６信号に対してＭＰＥＧ２又はＭＰＥＧ４等の符号化圧縮処理を行なう。また、オーディオ処理部１１４は、ＰＣＭ信号に対してＭＰＥＧ１等の符号化圧縮を行なう。さらに、多重化処理部１１２は、前記ビデオ処理部１１３の出力および前記オーディオ処理部１１４の出力に基づいて、ＭＰＥＧ２−ＰＳ等の多重化処理を行なう。【００１５】
入出力制御部１１０は、システムコントローラ１１７の制御に応じて、多重化処理部１１２から出力された映像データストリーム、およびシステムコントローラ１１７で生成されたデータを光学ドライブ１０１に出力する。なお、システムコントローラ１１７で生成されたデータとは、例えば、前記映像データストリームの再生制御データである。また、光ディスク１０２において、ＵＤＦ（Ｕｎｉｖｅｒｓａｌ  Ｄｉｓｋ  Ｆｏｒｍａｔ）等の所定フォーマットに対応する映像データストリームを記録した位置、および前記再生制御データを記録した位置等を登録するファイルシステム情報もシステムコントローラ１１７で生成されるデータである。なお、当該入出力制御部１１０は、多重化処理部１１２から出力される映像データストリームの符号量の揺らぎを図示しないバッファで吸収して、当該映像データストリームを所定の伝送量で光学ドライブ１０１に出力する。【００１６】
入出力制御部１１０の出力は、光学ドライブ１０１における光学ドライブ信号処理部１０８に入力される。当該光学ドライブ信号処理部１０８は、入出力制御部１１０の出力に基づいてエラー訂正符号を生成する。そして、当該エラー訂正符号を入出力制御部１１０の出力に付加する。また、エラー訂正符号が付加されたデータに対してスクランブル処理および変調処理等を行なった後、アナログフロントエンド部１０７に出力する。また、光学ドライブ信号処理部１０８は、ドライブ用システムコントローラ１０９において生成され、スレッドモータ１０３等を制御する各制御信号（詳細は後述）をデジタルアナログ変換して駆動制御部１０６に入力する。【００１７】
アナログフロントエンド部１０７は、レーザ光のパワーを制御する光量制御信号の信号レベルを変化させて、光学ヘッド１０４に出力する。また、光学ヘッド１０４に設ける受光部（図示せず）から出力される信号（以下、戻り光信号ともいう）に基づいてトラッキングエラー信号およびフォーカスエラー信号等を生成して光学ドライブ信号処理部１０８に出力する。なお、前記光量制御信号は、予め設定される所定の信号レベルとなるように制御される。また、前記戻り光信号は、光学ヘッド１０４から出力されたレーザ光が光ディスク１０２によって反射された光（戻り光）の光量に応じた信号である。また、前記トラッキングエラー信号等は、光学ドライブ信号処理部１０８を介してドライブ用システムコントローラ１０９に入力される。【００１８】
光学ヘッド１０４は、入力された光量制御信号に応じて、レーザ光のパワーを制御して光ディスク１０２に照射することで前記入出力制御部１１０の出力に対応するデータを光ディスク１０２に記録する。【００１９】
ドライブ用システムコントローラ１０９は、図示しないメモリに予め記録されたプログラムを実行することによって、前記アナログフロントエンド部１０７から出力されたトラッキングエラー信号またはフォーカスエラー信号に基づいて、トラッキング制御信号およびフォーカス制御信号を生成する。なお、トラッキング制御信号およびフォーカス制御信号は、光学ヘッド１０４に設けられ、トラッキング位置およびフォーカス位置を調整するアクチュエータ（図示せず）の駆動を制御する信号である。また、ドライブ用システムコントローラ１０９は、システムコントローラ１１７によって指定される記録開始位置（光ディスク１０２において情報の記録を開始する位置）または記録終了位置（光ディスク１０２において情報の記録を終了する位置）に応じて、スレッドモータの回転量を制御するスレッド制御信号、およびスピンドルモータの回転速度を制御するスピンドル制御信号を生成する。【００２０】
駆動制御部１０６は、光学ドライブ信号処理部１０８によって生成されたスレッド制御信号およびスピンドル制御信号に応じて、スレッドモータ１０３およびスピンドルモータ１０５の回転制御を行なう。また、フォーカス制御信号およびトラッキング制御信号に応じて、前記アクチュエータの制御を行なう。【００２１】
スレッドモータ１０３は、駆動制御部１０６の制御に応じて、光ディスク１０２の半径方向における光学ヘッド１０４の位置を調整する。また、スピンドルモータ１０５は、光ディスク１０２をチャッキングし、所定の回転速度で光ディスク１０２を回転させる。【００２２】
以上のように、情報記録再生装置１０００を構成する各部が動作することによって、光ディスク１０２に情報の記録が行なわれる。ここで、以下、光ディスク１０２への情報の記録について説明する。なお、以下の説明においては、光ディスク１０２として、記録層が２つであるＤＶＤ−Ｒを使用し、当該ＤＶＤ−ＲにＬａｙｅｒ  Ｊｕｍｐ  Ｒｅｃｏｒｄｉｎｇ方式で記録する場合について説明する。【００２３】
ＤＶＤ−Ｒに情報の記録を行なう際には、予め所定の大きさの記録領域（以下、当該記録領域をＲゾーンともいう）を予約する。ＤＶＤ−Ｒは、１度に限り書き込み可能な光ディスクであるため、当該情報記録再生装置１０００においては、情報の記録をするに先立ち、前記ファイルシステム情報等を記録するＲゾーンを予約する。なお、前記ファイルシステムを記録するＲゾーンは、圧縮／伸張処理部１１１から出力された映像データストリームを記録する記録領域よりも光ディスク１０２の内周側に設けられる。具体的には、ｌｅａｄ−ｉｎエリアに隣接するように設けられる。【００２４】
図２は、ＤＶＤ−Ｖｉｄｅｏフォーマットを適用した場合において、光ディスク１０２にデータの記録を行なう従来の手順を説明するための説明図である。なお、図２において、グレーで示した領域は、情報が記録された領域を示し、白で示した領域は情報が記録されていない領域を示す。【００２５】
図２（１）において、２０１は、ＵＤＦのファイルシステムデータおよびＶＭＧ（Ｖｉｄｅｏ  Ｍａｎｅｇｅｒ  Ｄａｔａ）等を記録するファイルシステム／ディスク再生制御データ用領域である。なお、前記ＶＭＧには、ＤＶＤメニュー画面、および光ディスク１０２に記録された各番組に関する情報等を含むディスク再生制御データが含まれる。また、ディスク再生制御データは、光ディスク１０２に記録された情報を再生するために使用するデータである。また、前記ファイルシステムデータは、当該ディスク再生制御データが記録された光ディスク１０２上の位置、または当該光ディスク１０２に記録された情報の光ディスク１０２上の位置を示すデータである。【００２６】
また、２０２は、当該情報記録再生装置１０００において、光ディスク１０２の映像データストリーム用領域（後述）に記録する各番組の再生制御データ（以下、番組再生制御データともいう）を記録する番組再生制御データ用領域である。また、２０３は、前記番組の映像データストリームを記録する映像データストリーム用領域である。そして、２０４は、隙間領域である。なお、前記番組とは、所定量の映像データストリームで構成されるものであり、例えば、スポーツ番組、映画等である。【００２７】
ＤＶＤ−Ｒは、一度に限りデータの書き込みが可能な光ディスクである。また、ＤＶＤ−Ｖｉｄｅｏフォーマットで用いられるファイルシステムは追記を行うことができない。さらに、前記ディスク再生制御データは、光ディスク１０２に記録された各番組に対応する情報全てに基づいて作成されるデータである。したがって、何も記録されていないブランクディスクに映像データストリームの記録を開始する前に、当該ファイルシステム／ディスク再生制御データ用領域２０１に情報を書き込むことができない。【００２８】
そのため、ブランクディスクに対して記録を開始する場合には、図２（１）に示すように、まず、ファイルシステム／ディスク再生制御データ用領域２０１のＲゾーン（以下、Ｒゾーン＃１  ２０１ともいう）を予約する。なお、Ｒゾーン＃１  ２０１は、ＤＶＤプレーヤとの互換をとるために行なうファイナライズ処理が実行されるまで予約された状態（未記録状態）となる。【００２９】
そして、次に、当該Ｒゾーン＃１  ２０１の外周側に記録される番組の番組再生制御データを記録する番組再生制御データ用領域２０２のＲゾーン（以下、Ｒゾーン＃２  ２０２ともいう）を予約する。前記番組再生制御データは、映像データストリーム用領域２０３（図２におけるＲゾーン＃３  ２０３）に番組が記録されるまで生成されないデータであるため、上述のようにＲゾーンを予約する必要がある。【００３０】
上述のように、Ｒゾーン＃１  ２０１およびＲゾーン＃２  ２０２が予約されると、Ｒゾーン＃３  ２０３に番組が記録される（図２（２））。当該番組の映像データストリームは、Ｒゾーン＃３のレイヤ０における記録開始位置（開始ＰＳＮ（Ｐｈｉｓｉｃａｌ  ｌａｙｅｒ  ｎｕｍｂｅｒ））Ｓ３から順次記録される（図２（２）中の矢印１）。そして、予め設定されるジャンプインターバルに相当する分だけ情報を記録すると、記録する記録層をレイヤ０からレイヤ１に切替え（図２（２）中の矢印２）、順次、情報がレイヤ１に記録されていく（図２（２）中の矢印３）。【００３１】
さらに、レイヤ１においてジャンプインターバルに相当する情報の記録を終えると、再度レイヤ０に戻る（図２（２）中の矢印４）。このように、矢印１〜４のように記録およびレイヤジャンプを繰り返して、番組の記録を停止するまで映像データストリームの記録を行なう。なお、番組が記録されるゾーン（Ｒゾーン＃３）に対して予約は行なわれない。記録する番組の情報量（記録時間）が不明であるため、Ｒゾーンの大きさを予め設定することができないためである。また、図２において、一線鎖線で示した矢印は情報の記録を示し、破線で示した矢印はレイヤジャンプを示す。【００３２】
番組の記録を停止すると、番組の記録がされたＲゾーン＃３  ２０３を閉じて、当該番組に対応する番組再生制御データを予約済みのゾーンであるＲゾーン＃２  ２０２に記録する（図２（３））。なお、当該Ｒゾーン＃２  ２０２への記録は、図２（３）に矢印で示した流れで行なわれる。なお、図２（３）において、一点鎖線は図２（２）と同様に各レイヤへの情報の記録を示し、破線は、レイヤジャンプを示す。Ｒゾーン＃２  ２０２への番組再生制御データの記録が終了すると当該Ｒゾーン＃２  ２０２を閉じる（図２（４））。【００３３】
Ｒゾーン＃２  ２０２を閉じると、次に、閉じたＲゾーン＃３  ２０５（以下、単に、Ｒゾーン＃３  ２０５という）の外周側に中間状態管理情報を記録して、当該中間状態管理情報を記録したＲゾーン（以下、Ｒゾーン＃４  ２０７ともいう）を閉じる（図２（５））。なお、当該中間状態管理情報は、Ｒゾーン＃１  ２０１に対するファイルシステムデータ等の記録を行なうまでの間において、当該光ディスク１０２に記録された各番組の情報に基づいて作成されるファイルシステムデータおよびディスク再生制御データを含む情報である。そして、ファイナライズ時には当該中間状態管理情報に基づいてファイルシステムデータおよびディスク再生制御データが生成される。【００３４】
上記中間状態管理情報を記録した後、更に番組の記録を行なう場合には、前記Ｒゾーン＃２  ２０２と同様に、当該番組の番組再生制御データを記録するＲゾーン（以下、Ｒゾーン＃５  ２０９ともいう）を予約する（図２（６））。なお、Ｒゾーン＃５  ２０９を予約した後においては、Ｒゾーン＃６  ２１１が映像データストリーム記録領域となる。【００３５】
また、Ｒゾーン＃５  ２０９を予約した時点においては、当該Ｒゾーン＃５  ２０９の内周側の領域が記録済みの領域であるため、Ｒゾーン＃５  ２０９のレイヤ１に隙間領域は発生しない。この場合、Ｒゾーン＃６  ２１１への記録が終了した際、当該Ｒゾーン＃６のレイヤ１に隙間領域が形成される。Ｒゾーン＃５  ２０９の予約を行なうと、上述した図２（２）〜（５）までの処理を行なうことによって、番組の記録を更に行なうことができる。【００３６】
一方、番組の記録を行なって中間管理情報を記録した後に番組を追記しない場合には、ファイナライズ処理を行なう。ファイナライズ処理時には、まず、ファイルシステム／ディスク再生制御データ領域２０１（Ｒゾーン＃１  ２０１）に、ファイルシステムデータおよびディスク再生制御データを記録して当該Ｒゾーン＃１  ２０１を閉じる。そして、光ディスク１０２において情報が記録されていない領域に対してパディング処理を行なう。なお、ファイルシステムデータおよびディスク再生制御データは、最終的に、最外周に記録された中間状態管理情報に基づいて生成される。【００３７】
従来は、以上のようにして、光ディスク１０２に情報の記録が行なわれる。なお、各Ｒゾーンに関する情報は、ＲＭＡ（Ｒｅｃｏｒｄｉｎｇ  Ｍａｎａｇｅｍｅｎｔ  Ａｒｅａ）のＲＭＤ（Ｒｅｃｏｒｄｉｎｇ  Ｍａｎａｇｅｍｅｎｔ  Ｄａｔａ）に記録される。具体的には、予約されたＲゾーンの開始ＰＳＮ（Ｐｈｙｓｉｃａｌ  ｌａｙｅｒ  ｎｕｍｂｅｒ）、最終ＰＳＮ、ジャンプアドレス、最終記録位置のアドレスがＲＭＤに記録される。また、Ｒゾーンを閉じた場合には、システムコントローラ１１７からドライブシステム用コントローラ１０９に所定のコマンドが送信され、Ｒゾーンが閉じていることを示す情報がＲＭＤに記録される。当該ＲＭＤによって、システムコントローラ１１７は、光ディスク１０２の記録状態を管理することができる。なお、上述した、Ｌａｙｅｒ  ｊｕｍｐ  ｒｅｃｏｒｄｉｎｇにおいては、Ｆｏｒｍａｔ４  ＲＭＤ（以下、単にＲＭＤともいう）が使用される。【００３８】
なお、開始ＰＳＮは各Ｒゾーンにおける記録開始位置を示し、最終ＰＳＮは各Ｒゾーンにおける記録終了位置を示す。また、ジャンプアドレスは、各Ｒゾーンにおいてレイヤ０からレイヤ１にジャンプする位置を示す。更に最終記録位置は、各Ｒゾーンにおいて最終的に記録が行なわれた位置を示す。なお、Ｒゾーン全てに情報が記録された場合においては、最終ＰＳＮに対応する位置と最終記録位置とが一致するが、Ｒゾーン全てに情報が記録されない場合においては、最終ＰＳＮに対応する位置と最終記録位置とが一致しない。また、上述した各位置は光ディスク１０２上の物理的な位置である。また、ＲＭＤはＲゾーンの状態が変化するたびに更新される。図３は、Ｒゾーンの情報を模式的に示した模式図である。【００３９】
以下、実施の形態１の情報記録再生装置１０００による情報の記録について説明する。図４は、実施の形態１における、光ディスク１０２への情報の記録を説明するための説明図である。なお、以下の説明においては、前記図２において説明した事項についての説明を省略する。また、図４においては、既に情報の記録が行なわれたＲゾーン＃ｎ−１  ３０１の外周側にＲゾーン＃ｎ  ３０２およびＲゾーン＃ｎ＋１  ３０３を予約し、Ｒゾーン＃ｎ＋１  ３０３、Ｒゾーン＃ｎ  ３０２の順に情報の記録を行なう場合について説明する。【００４０】
ユーザの操作によって、図１における操作部１１８から記録開始信号がシステムコントローラ１１７に入力されると、当該システムコントローラ１１７は、Ｒゾーンの予約をする旨の信号（以下、予約信号ともいう）を入出力制御部１１０に入力する。なお、図４の場合においては、Ｒゾーン＃ｎ  ３０２およびＲゾーン＃ｎ＋１  ３０３を予約する旨の信号が入出力制御部１１０に入力される。また、Ｒゾーン＃ｎ  ３０２およびＲゾーン＃ｎ＋１  ３０３を予約した際に隙間領域３０４が形成される。【００４１】
入出力制御部１１０は、光学ドライブ信号処理部１０８を介してドライブ用システムコントローラ１０９に予約信号を入力する。ドライブ用システムコントローラ１０９は、入力された予約信号に応じて、最新のＲＭＤ（以下、最新ＲＭＤという）を記録できる光ディスク１０２上の位置に光学ヘッド１０４を移動するように、駆動制御部１０６に信号を入力する。また、ドライブ用システムコントローラ１０９は、光学ドライブ信号処理部１０８に対して、当該ドライブ用システムコントローラ１０９で生成した最新ＲＭＤを光ディスク１０２に記録する旨の信号を入力する。なお、前記最新ＲＭＤは、予約したＲゾーン（Ｒゾーン＃ｎ  ３０２およびＲゾーン＃ｎ＋１  ３０３）の開始ＰＳＮ、最終ＰＳＮおよびジャンプアドレスの他、Ｒゾーン＃ｎ＋１  ３０３より外周側に位置するＲゾーンの開始ＰＳＮ、隙間領域におけるブランクエリアの開始ＰＳＮおよび最終ＰＳＮを含む情報である。【００４２】
駆動制御部１０６は、ドライブ用システムコントローラ１０９から入力された信号に応じて、光ディスク１０２における最新ＲＭＤを記録する位置に光学ヘッド１０４を移動させるように、スレッドモータ１０３および光学ヘッド１０４に対して制御信号を出力する。一方、光学ドライブ信号処理部１０８は、ドライブ用システムコントローラ１０９から入力された最新ＲＭＤをアナログフロントエンド部１０７に出力する。そして、アナログフロントエンド部１０７は、入力された最新ＲＭＤをアナログ信号に変換して光学ヘッド１０４に入力する。そして、光学ヘッド１０４は、入力された最新ＲＭＤを光ディスク１０２のＲＭＡに記録する。以上に説明した各構成の動作によって、Ｒゾーン＃ｎ  ３０２およびＲゾーン＃ｎ＋１  ３０３の予約が行なわれる（図４（１））。【００４３】
上述のようにして、各Ｒゾーンに関する情報（ＲＭＤ）がＲＭＡに記録されると、当該情報記録再生装置１０００において、予約したＲゾーンへの記録が行なわれる。具体的に説明すると、Ｒゾーン＃ｎ＋１  ３０３の開始ＰＳＮ  Ｓｎ＋１，０から情報の記録を行ない、レイヤ０上のジャンプアドレスＬＪＡｎ＋１，０からレイヤ１上のジャンプアドレスＬＪＡｎ＋１，１へとレイヤジャンプし、Ｒゾーン＃ｎ＋１  ３０３の最終ＰＳＮ  Ｅｎ＋１，１まで情報を記録する。そして、Ｒゾーン＃ｎ＋１  ３０３を閉じる（図４（２））。【００４４】
次に、Ｒゾーン＃ｎ＋１  ３０３の最終ＰＳＮ  Ｅｎ＋１，１からＲゾーン＃ｎ  ３０２のレイヤ０における開始ＰＳＮ  Ｓｎ，０にジャンプしてＲゾーン＃ｎ  ３０２に情報を記録する。すなわち、Ｒゾーン＃ｎ  ３０２のレイヤ０における開始ＰＳＮ  Ｓｎ，０から記録を行ない、レイヤ０上のジャンプアドレスＬＪＡｎ，０からレイヤ１上のジャンプアドレスＬＪＡｎ，１へとレイヤジャンプし、Ｒゾーン＃ｎ  ３０２の最終ＰＳＮ  Ｓｎ，１方向に情報を記録する（図４（３））。そして、Ｒゾーン＃ｎ  ３０２を閉じる（図４（４））。【００４５】
以上のようにして、Ｒゾーン＃ｎ  ３０２およびＲゾーン＃ｎ＋１  ３０３への情報の記録が完了すると、隙間領域３０４の直下に位置するレイヤ０の領域が記録済みの領域となる。したがって、この時点で、隙間領域３０４に対してパディング処理を行なうことが可能となる。そこで、当該情報記録再生装置１０００においては、隙間領域３０４に対してパディング処理を行なうか否かを判断する。【００４６】
図５は、情報記録再生装置１０００において、隙間領域３０４に対してパディング処理を行なうか否かを判断するためのフローチャートである。なお、当該図５に示したフローチャートは、ドライブ用システムコントローラ１０９において行なわれる。【００４７】
パディング処理を行なうか否かを判断する際、ドライブ用システムコントローラ１０９は、ＲＭＤに記録された、隙間領域（最新の隙間領域および当該最新の隙間領域よりも前に形成された隙間領域を含む）のブランクエリアに対してパディング処理を自動的に行なうか否かを判断する（Ｓ４０１）。【００４８】
ここで、前記Ｓ４０１における、パディング処理を自動的に行なうか否かの判断について具体的に説明する。実施の形態１における情報記録再生装置１０００においては、各隙間領域に対するパディング処理の可否を示す情報を光ディスク１０２に記録する。そして、当該情報に基づいて前記Ｓ４０１において、パディング処理を自動的に行なうか否かの判断を行なう。【００４９】
図６は、各隙間領域に対するパディング処理の可否を示す情報の一例を説明するための説明図である。図６に示すように、実施の形態１においては、パディング処理の可否を示す情報を格納する領域として、Ｆｏｒｍａｔ４  ＲＭＤ５０１におけるＦｉｅｌｄ５０２を使用する。具体的に説明すると、当該Ｆｏｒｍａｔ４  ＲＭＤ５０１における１つのＦｉｅｌｄ５０２に、隙間領域のブランクエリアに関する情報（開始ＰＳＮ、最終ＰＳＮ等）を格納できる８個の領域５０３（ｂ０〜ｂ７。以下、パディング禁止データ領域５０３ともいう）を設ける。そして、当該パディング禁止データ領域５０３の各領域に、格納される隙間領域のブランクエリアに関する情報に対応したパディング禁止フラグ（ＢＡ＃１〜ＢＡ＃８。以下、単にフラグともいう）を設定する。具体的には、当該パディング禁止データ領域５０３に格納された情報に対応する隙間領域に対するパディング処理を禁止する場合には「１」のフラグを設定し、当該パディング禁止データ領域５０３に格納された情報に対応する隙間領域に対するパディング処理を許可する場合には「０」のフラグを設定する。【００５０】
なお、パディング禁止データ領域を８個としたのは、現状のＤＶＤ規格上、確保できる隙間領域（ブランクエリア）が８個とされているためである。なお、Ｆｏｒｍａｔ４  ＲＭＤ５０１は、ＲＭＡ内に記録される情報であって、記録方式がＬａｙｅｒ  Ｊａｍｐ  Ｒｅｃｏｒｄｉｎｇである場合に使用されるＲＭＤである。そして、Ｆｏｒｍａｔ４  ＲＭＤ５０１は、１６個のＦｉｅｌｄ５０２に区切られている。また、Ｆｉｅｌｄ５０２とは所定の情報を書き込むために設定される記録領域である。【００５１】
フラグを設定するタイミングは任意に設定することができる。例えば、フラグは、ブランクディスクの初期化時（例えば、光学ドライブ１０１に光ディスク１０２を挿入した際）に設定することができる。また、隙間領域が形成される度にフラグを設定することもできる。また、光ディスク１０２への番組の記録が終了した際にフラグを設定することもできる。また、いずれのパディング禁止データ領域に、「０」または「１」のいずれのフラグを設けるかについても任意に設定することができる。【００５２】
ここで、例えば、ブランクディスクの初期化時にフラグを設定する際、図６に示したｂ０〜ｂ４のパディング禁止データ領域に「１」のフラグを設定し、ｂ５〜ｂ７のパディング禁止データ領域に「０」のフラグを設定した場合におけるＳ４０１での判断について説明する。なお、以下の説明においては、Ｓ４０１の判断を行なう時点までにおいて発生した隙間領域の情報が順次パディング禁止データ領域に格納され、ｂ０〜ｂ４のパディング禁止データ領域に隙間領域の情報が格納されている場合について説明する。【００５３】
この場合において、新たに隙間領域（すなわち、６個目の隙間領域）が発生すると、ドライブ用システムコントローラ１０９は、光学ドライブ１０１を制御してＲＭＤを読み出す。そして、当該ＲＭＤにおけるパディング禁止データ領域５０３のｂ０〜ｂ７のフラグを参照する。そうすると、ｂ０〜ｂ４に格納された情報に対応する隙間領域はパディング処理を行なうことが禁止されている旨を検出する。【００５４】
次に、ドライブ用システムコントローラ１０９は、上述の検出の結果に基づいてＳ４０１の判断を行なう。すなわち、「１」のフラグに対応する隙間領域に対してパディングを行なわない。そして、新たな隙間領域は、当該情報記録再生装置１０００の仕様に従って処理される。例えば、当該新たな隙間領域の記録容量（ブランクエリア）が所定の値以上である場合には、ｂ６またはｂ７に当該新たな隙間領域のブランクエリアの情報を格納し、当該ブランクエリアの情報を格納したパディング禁止データ領域に新たに「１」のフラグを立てることもできる。すなわち、初期化時に設定したパディング禁止データ領域のフラグを更新する。また、所定の値よりも小さい場合にはパディングを行なう。また、当該新たな隙間領域の記録容量が所定の値以上である場合に、新たな隙間領域の情報と、フラグが「１」である領域に格納されていた隙間領域の情報とを入れ替えるようにしてもよい。【００５５】
Ｓ４０１において、パディング処理を自動的に行なわない場合（Ｓ４０１：Ｙｅｓ）、ドライブ用システムコントローラ１０９は、隙間領域に対してパディング処理を行なわずに、光ディスク１０２における隙間領域の総数が８個以下であるかを判断する（Ｓ４０２）。一方、パディング処理を自動的に行なう場合（Ｓ４０１：Ｎｏ）、ドライブ用システムコントローラ１０９は、所定の隙間領域に対してパディング処理を行なった後に、光ディスク１０２における隙間領域の総数が８個以下であるかを判断する（Ｓ４０２）。【００５６】
Ｓ４０２において、光ディスク１０２における隙間領域の総数が８個以下である場合（Ｓ４０２：Ｙｅｓ）、ドライブ用システムコントローラ１０９は、ボーダークローズ処理またはファイナライズ処理のいずれかの処理を行なうか否かを判断する（Ｓ４０３）。一方、光ディスク１０２における隙間領域の総数が８個以下でない場合（Ｓ４０２：Ｎｏ）、ドライブ用システムコントローラ１０９は、光ディスクにおけるいずれかの隙間領域に対してパディング処理を行なった後に、ボーダークローズ処理またはファイナライズ処理のいずれかの処理を行なうか否かを判断する（Ｓ４０３）。【００５７】
Ｓ４０３において、ボーダークローズ処理またはファイナライズ処理のいずれの処理も行なわない場合、光ディスク１０２上の隙間領域に対してパディング処理を行なわずに（Ｓ４０５）処理を終了する。一方、ボーダークローズ処理またはファイナライズ処理のいずれかの処理を行なう場合、ドライブ用システムコントローラ１０９は、光ディスク１０２上の全ての隙間領域に対してパディング処理を行なって（Ｓ４０６）処理を終了する。【００５８】
なお、前記Ｓ４０５においてパディング処理を行なう隙間領域は以下のように決定する。例えば、最新の隙間領域および光ディスク１０２における８個の隙間領域の各々の記録容量を比較し、９個の隙間領域のうち、記録容量が最小の隙間領域に対してパディング処理を行なう。また、最新の隙間領域および光ディスク１０２における８個の隙間領域のうち、最内周に位置する隙間領域に対してパディング処理を行なうようにしてもよい。【００５９】
以上のように、実施の形態１における情報記録再生装置によれば、隙間領域が形成された際に、当該隙間領域に対してパディング処理を行なうかの否かの判断行なうことによって、隙間領域に対して自動的にパディング処理が行なわれることを防止することができる。【００６０】
記録装置の仕様によっては、隙間領域が形成される度に、当該隙間領域に対して自動的にパディング処理を行なわせることもできる。すなわち、このような場合には、本来、情報の記録が可能な隙間領域に、常に、ダミーピットが形成される。したがって、隙間領域を記録領域として有効に使用することができない。【００６１】
例えば、図２において説明したように、１つの番組を記録する際に、番組再生制御データを記録するＲゾーンのみを予約した場合、通常は、１つの番組を記録する度に１つの隙間領域が形成される。そして、光ディスクに９０個の番組を記録し、１つの隙間領域の記録容量の平均を２５ＭＢ（メガバイト）であるとする。そうすると、隙間領域の記録容量の合計は、２５（ＭＢ）×９０（個）＝２２５０ＭＢとなる。なお、「×」は乗算記号である。ここで、光ディスク（例えば、２層記録ＤＶＤ）の総記録容量を８．５ＧＢとすると、隙間領域の記録容量の合計は光ディスクの総記録容量のおよそ２７％（２２５０／８５００≒０．２６４７）となる。しかしながら、上述のように、隙間領域が形成される度に、当該隙間領域に対して自動的にパディング処理を行なわせる場合にあっては、２７％の記録領域を活用することが不可能である。【００６２】
仮に、当該情報記録再生装置１０００において、８個の隙間領域に対してパディング処理を行なわない場合でも、合計で２００ＭＢ（２５（ＭＢ）×８）の記録容量を確保することができる。したがって、このような場合においても、種々の情報を記録可能な記録容量を確保して、レイヤ１の記録領域を有効に活用することができる。なお、上述の例における番組数（９０個）は、規格上定められた光ディスクに記録可能な番組数（９９個）に基づいて設定したものである。また、隙間領域の記録容量（２５ＭＢ）は、光ディスクの半径位置に基づいて発明者が概算した値である。【００６３】
また、実施の形態１における情報記録再生装置１０００によれば、パディング禁止データ領域５０３の各領域に、各隙間情報に対してパディング処理を行なうことが可能か否かを示すフラグを設定することができる。【００６４】
記録装置の仕様によっては、光ディスク挿入時に、隙間領域等の情報が記録されていない記録領域に対してパディング処理を行なってしまう場合もある。また、光ディスクを取り出す際に、情報が記録されていない記録領域に対してパディング処理を行なってしまう場合もある。したがって、確保した隙間領域を未記録の状態に保つための処置を施すことが望ましい場合がある。【００６５】
しかしながら、実施の形態１における情報記録再生装置１０００においては、上述のように、フラグを設定する。したがって、記録装置の仕様によらず、当該パディング禁止データ領域５０３を参照することで、所定の隙間領域に対するパディング処理を行なうことを防止することができる。【００６６】
すなわち、例えば、上述したような、光ディスク挿入時に、隙間領域等の情報が記録されていない記録領域に対してパディング処理を行なってしまう記録装置においては、光ディスク挿入直後にパディング禁止データ領域５０３を読み出すようにすることで、隙間領域に対してパディング処理を行なうことを防止することができる。また、光ディスクを取り出す際にブランクエリアに対してパディング処理を行なってしまう記録装置においては、光ディスクを取り出す直前にパディング禁止データ領域５０３を読み出すようにすることで、隙間領域に対してパディング処理を行なうことを防止することができる。【００６７】
実施の形態２．
上述のように、隙間領域は、種々の情報を記録可能な十分な記録容量を有する。そこで、実施の形態２．においては、当該隙間領域に記録する情報の一例について説明する。なお、実施の形態２における情報記録装置の構成は実施の形態１において説明した情報記録装置１０００の構成と同様であるので説明を省略する。【００６８】
当該隙間領域に記録する情報としては、例えば、映像データ、音声データ又は書類データが挙げられる。例えば、前記映像データの場合には、記録した番組を要約した映像データを記録することができる。【００６９】
また、システムコントローラ１１７またはドライブ用システムコントローラ１０９において使用するデータ（以下、プライベートデータともいう）を当該隙間領域に記録することができる。なお、プライベートデータは、例えば、上述した中間状態管理情報である。【００７０】
また、当該光ディスク１０２に記録した番組の番組名、放送チャンネル、番組概要説明、番組代表画面、録画日時、次回放送の日時等の付帯情報をプライベートデータとして記録することもできる。さらに、要約再生等の特殊再生を行なう際に使用する特徴データをプライベートデータとして記録することもできる。なお、当該特徴データは、当該情報記録再生装置１０００において番組の記録を行なう際、圧縮／伸長処理部１１１において圧縮符号化処理をして得られる圧縮データ、ビデオ信号の信号レベル、またはオーディオ信号の信号レベルから抽出した、番組の映像または音声の特徴を示すデータである。例えば、スポーツ番組においては歓声の大きさの変化を抽出することによって、当該スポーツ番組における得点シーン等を検出することが可能となる。【００７１】
ここで、プライベートデータを隙間領域に記録する際における、当該隙間領域の管理方法について説明する。なお、上述のように、隙間領域において情報が記録されていない領域がブランクエリアである。したがって、隙間領域が形成された後、プライベートデータが記録されるまでの間は、隙間領域とブランクエリアとが同一の大きさの領域となる。一方、隙間領域の一部に情報を記録した後においては、ブランクエリアが隙間領域よりも小さな領域となり、隙間領域の全部に情報を記録した後においては、ブランクエリアが０（ゼロ）となる。【００７２】
図７は、隙間領域の管理方法を説明するための説明図である。なお、図７（１）は、前記図４（４）の状態から、Ｒゾーン＃ｎ＋２  ６０１に情報を記録し、更に、Ｒゾーン＃ｎ＋３  ６０２およびＲゾーン＃ｎ＋４  ６０３を予約した状態である。したがって、図７（１）においては、第１の隙間領域３０４、第２の隙間領域６０４および第３の隙間領域６０５が形成された状態となる。なお、以下の説明においては、前記図４に示した領域と同一の領域には同一の符号を付記する。【００７３】
まず、図７（１）の状態においては、第１の隙間領域３０４のブランクエリアの情報、第２の隙間領域６０４のブランクエリアの情報または第３の隙間領域６０５のブランクエリアの情報がＦｏｒｍａｔ４  ＲＭＤに記録されている。そして、図７（１）の状態においては、Ｒゾーン＃ｎ＋３  ６０２およびＲゾーン＃ｎ＋４  ６０３が未記録の状態であるため、第３の隙間領域６０５にプライベートデータの記録を行なうことができない。したがって、図７（１）の状態においては、第１の隙間領域３０４または第２の隙間領域３０５にプライベートデータを記録する。なお、以下の説明においては、最初に第１の隙間領域３０４に対してプライベートデータを記録する場合について説明する。【００７４】
情報再生記録装置１０００において、所定のタイミングでプライベートデータが生成されると、システムコントローラ１１７およびドライブ用システムコントローラ１０９の制御により光学ドライブ１０１の各構成が動作することによって、第１の隙間領域３０４にプライベートデータが記録される（図７（２）における６０６。以下、プライベートデータを記録した領域をプライベートデータ記録領域ともいう）。【００７５】
前記プライベートデータの記録の際、隙間領域のブランクエリアの記録容量と比較して当該プライベートデータの情報量が多い場合には、１つの隙間領域内にプライベートデータの全ての情報を記録することができない。そのため、このような場合においては、ＲＭＤに記録された隙間領域のうち、記録可能な隙間領域に残りのプライベートデータを記録する。したがって、図７（２）の場合においては、第１の隙間領域３０４に記録を行なった後、第１の隙間領域６０４に、プライベートデータの記録を続けて行なう（図７（２）における６０８）。そうすると、第２の隙間領域６０４におけるブランクエリアが６０７で示す領域となる。【００７６】
上述のようにして、プライベートデータの記録を行なった場合、第１の隙間領域３０４および第２の隙間領域６０４のブランクエリアの領域が変わる。すなわち、第１の隙間領域３０４のブランクエリアが０（ゼロ）となり、第２の隙間領域６０４のブランクエリアが６０７で示す領域となる。そこで、第１の隙間領域３０４のブランクエリアの情報または第２の隙間領域６０４のブランクエリアの情報についてのＲＭＤを更新する。すなわち、第１の隙間領域３０４におけるブランクエリアの情報をＲＭＤから削除し、第２の隙間領域６０４のブランクエリアの情報を新たなブランクエリア６０７のサイズ（記録可能な領域のサイズ）に変更する。なお、上述のように、ＤＶＤ−Ｒは一度に限り書き込みが可能な記録媒体である。したがって、ＲＭＤの更新は、新たなＲＭＤをＲＭＡ内の新たな領域に記録することによって行なう。【００７７】
以上のようにプライベートデータの記録を行なった場合に、プライベートデータと映像データストリームとを同一のファイルシステムで管理する場合には、当該映像データストリームと同様にしてプライベートデータにアクセスすることができる。しかしながら、プライベートデータと映像データストリームとを異なるファイルシステムで管理する場合には、プライベートデータにアクセスすることができない。そこで、このような場合においては、記録可能なブランクエリアのうちの最外周に位置するブランクエリアに、プライベートデータが記録されている位置を特定するためのプライベート用ファイルシステムデータを記録する。【００７８】
当該プライベート用ファイルシステムデータは、以下のようにして光ディスク１０２に記録される。まず、システムコントローラ１１７は、光学ヘッド１０１を制御してＲＭＤを読み出す。次に、当該ＲＭＤを参照して、記録可能な隙間領域のうち、最外周に位置する隙間領域を検出する。そして、当該最外周の隙間領域にプライベート用ファイルシステムデータを記録する。なお、隙間領域が記録可能な状態とは、レイヤ０における当該隙間領域の直下に位置するレイヤ１の領域が記録されている状態である。したがって、システムコントローラ１１７は、ＲＭＤにおける各Ｒゾーンの最終記録位置を参照することによって記録可能な隙間領域を検出する。【００７９】
上述のように、最外周の隙間領域にプライベート用ファイルシステムデータを記録する等、常に特定の位置にプライベート用ファイルシステムデータを記録することによって、光ディスク１０２への情報の追記を行なった場合や、光ディスク１０２に記録された情報の削除等が行なわれた場合においても、プライベートデータ用ファイルシステムデータが記録された位置を確実に検出することができる。【００８０】
なお、プライベートデータの記録を行なうタイミングは任意に設定することができる。例えば、プライベートデータが、中間状態管理情報または付帯情報である場合には、番組の記録が終了した際に記録を行なうことができる。また、プライベートデータが、特徴データである場合には、番組記録時、番組記録終了後またはスタンバイ状態（情報記録再生装置が情報の再生または記録を行なっていない状態）の時のいずれかの時に、番組の解析を行なって特徴データを生成した後に行なうことができる。【００８１】
以上のように、隙間領域に対してプライベートデータを記録することで、レイヤ１の記録領域を有効に活用することができる。例えば、図２において説明したように中間状態管理情報は、番組の記録を行なったＲゾーンの外周側に記録される。したがって、当該中間状態管理情報の記録においてもＲゾーンが形成される。中間状態管理情報は、ファイナライズまでの間に記録された番組を管理するための情報である。したがって、ファイナライズをした後においては不要な情報となってしまう。そうすると、中間状態管理情報を記録するためのＲゾーンが形成されることを回避する方が、光ディスクの記録領域を有効に活用するためには望ましい。しかしながら、上述のように、隙間領域に中間状態管理情報を記録すれば、当該中間状態管理情報のためのＲゾーンを必要としない。したがって、光ディスクの記録領域を有効に活用することができる。【００８２】
また、付帯情報または特徴データを隙間領域に記録することで、光ディスクに記録された映像ストリームを再生する際の利便性を高くすることができる。【００８３】
実施の形態３．
以下、情報記録再生装置において、光ディスクに記録された情報を再生する場合について説明する。なお、実施の形態３における情報記録再生装置の構成は、実施の形態１において説明した情報記録再生装置１０００と同様である。よって、以下、図１を用いて各構成について説明する。なお、以下の説明においては、ボーダークローズまたはファイナライズ処理のいずれも行なわれていない光ディスク１０２を再生する場合について説明する。【００８４】
まず、当該情報記録再生装置１０００において、Ｒゾーンに記録された映像データストリームを再生する場合について説明する。図１において、ユーザの操作によって操作部１１８から再生を行なう旨の信号がシステムコントローラ１１７に入力される。システムコントローラ１１７は、所定の位置（図２の場合においては最外周のＲゾーン）に記録された中間状態管理情報を読み出す旨の信号を入出力制御部１１０を介して光学ドライブ１０１に入力する。【００８５】
光学ドライブ信号処理部１０８およびドライブ用システムコントローラ１０９は、入出力制御部１１０から出力された信号に基づいて、駆動制御部１０６等を制御することによって、光学ヘッド１０４の位置等を調整して、光ディスク１０２から中間状態管理情報を読み出す。そして、読み出された中間状態管理情報は、入出力制御部１１０を介してシステムコントローラ１１７に入力される。【００８６】
なお、光ディスク１０２から情報の読み出しを行なっている間においては、光学ドライブ信号処理部１０８およびドライブシステム用コントローラ１０９の動作によって、光学ヘッド１０４から光ディスク１０２に照射されるレーザ光のスポット位置等の制御が行なわれる。具体的には、アナログフロントエンド部１０７において戻り光に対応する信号を生成し、当該信号に基づいてドライブ用システムコントローラ１０９において制御信号を生成して光学ドライブ信号処理部１０８に入力する。そして、光学ドライブ信号処理部１０８において当該制御信号をアナログ信号に変換して駆動制御部１０６に入力し、当該駆動制御部１０６がスレッドモータ１０３、スピンドルモータ１０５および光学ヘッド４におけるアクチュエータを制御する。【００８７】
システムコントローラ１１７は、入力された中間状態管理情報を解析する。そして、解析の結果に基づいて、光学ディスク１０２から所望の番組の映像データストリームを読み出す旨の信号を入出力制御部１１０を介して光学ドライブ１０１に入力する。そうすると、光学ドライブ１０１において、光ディスク１０２から所望の映像データストリームが読み出され、当該映像データストリームは入出力制御部１１０を介して圧縮／伸張処理部１１１に入力される。【００８８】
圧縮／伸張処理部１１１は、システムコントローラ１１７から入力される信号（再生制御データに基づいて生成される信号）に応じて、入力された映像データストリームに対して伸張処理を行なう。すなわち、まず、多重化処理部１１２は、入力された映像データストリームを圧縮映像データと圧縮音声データとに分離する。次に、ビデオ処理部は、圧縮映像データに対して伸張処理を行なってＲＥＣ６５６信号に変換する。そして、当該ＲＥＣ６５６信号をビデオ入出力部１１５に出力する。また、ビデオ処理部は、圧縮音声データに対して伸張処理を行なってＰＣＭ信号に変換する。そして、当該ＰＣＭ信号をオーディオ入出力部１１６に出力する。【００８９】
ビデオ入出力部１１５は、入力されたＲＥＣ６５６信号をビデオ信号に変換して図示しない外部機器（例えば、ＴＶ等の表示装置）に出力する。また、オーディオ入出力部１１６は、入力されたＰＣＭ信号をオーディオ信号に変換して前記外部機器に出力する。以上のように、当該情報記録再生装置１０００の各構成が動作することによって、光ディスク１０２に記録された番組の再生が行なわれる。【００９０】
次に、以下、光ディスク１０２に記録されたプライベートデータを再生する場合について説明する。上述のように、プライベートデータと映像データストリームとを同一のファイルシステムで管理する場合には、当該映像データストリームと同様にしてプライベートデータを読み出すことができる。すなわち、光ディスク１０２の所定の位置に記録されたファイルシステムデータ等に基づいてプライベートデータの再生を行なうことができる。なお、この場合、プライベートデータの再生を行なう際における、情報記録再生装置１０００の各構成の動作は、映像データストリームを再生する場合と同様である。【００９１】
一方、プライベートデータと映像データストリームとを異なるファイルシステムで管理する場合には、実施の形態２において説明したプライベートデータ用ファイルシステムデータに基づいて当該プライベートデータの再生を行なう。上述のように、隙間領域に情報の記録を行なうことによって、当該隙間領域のブランクエリアの記録容量が０（ゼロ）となると、当該隙間領域のブランクエリアの情報はＲＭＤから削除される。よって、ＲＭＤを参照してもプライベートデータ用ファイルシステムデータを検出することができない。したがって、プライベートデータの再生を行なう際には、まず、プライベートデータ用ファイルシステムデータを検索する必要がある。【００９２】
プライベートデータ用ファイルシステムデータの検索は以下のようにして行なう。すなわち、ＲＭＤに記録された各Ｒゾーンの情報から隙間領域の位置を検出する隙間領域検出処理を行なう。以下、当該隙間領域検出処理について具体的に説明する。【００９３】
例えば、あるＲゾーン＃ｍ（ｍはＲゾーン番号）のレイヤ０の記録開始位置をＳｍ（Ｒゾーン＃ｍの開始ＰＳＮ）とし、当該Ｓｍに対応したレイヤ１の位置をＳｍ，１とする。また、当該Ｒゾーン＃ｍの記録終了位置をＥｍをとする。そして、Ｓｍ，１の位置とＥｍの位置との距離を計算する。そして、当該計算の結果得られる距離からリンキングロス分を除いた値が所定の値よりも大きい位置にある場合に、Ｓｍ，１の位置とＥｍの位置との間の領域を隙間領域と判定する。【００９４】
上述した隙間領域検出処理を全てのＲゾーンの情報について行なう。次に、当該隙間領域検出処理の結果検出された隙間領域のブランクエリアの情報がＲＭＤに記録されているか否かを検出する。上述のように、隙間領域にブランクエリアがある場合にはＲＭＤに当該ブランクエリアの情報が記録される。したがって、ＲＭＤを参照することによって、検出された隙間領域が記録済みの領域であるか否かを検出することができる。そして、当該ＲＭＤを参照することによって検出することができない隙間領域のうち、最外周に位置する隙間領域を特定する。そうすると、最外周の隙間領域に記録されたプライベート用システムファイルを検出することができる。【００９５】
なお、オポジット方式の二層光ディスク記録媒体の場合は、プライベート用システムファイルが記録された隙間領域の開始位置および終了位置のＰＳＮが一番少ないものとなる。また、パラレル方式の二層光ディスク記録媒体の場合は、プライベート用システムファイル記録された隙間領域の開始位置および終了位置のＰＳＮが一番大きいものとなる。【００９６】
上述のようにしてプライベートデータ用システムファイルが検出されると、システムコントローラ１１７は、当該プライベートデータ用システムファイルを図示しないメモリに記憶する。そして、当該メモリに記憶したプライベートデータ用システムファイルに基づいてプライベートデータを再生する。すなわち、プライベートデータ用システムファイルに含まれる、各プライベートデータが記録された位置を示す情報等を参照して、プライベートデータを再生する。【００９７】
ここで、プライベートデータを使用する場合の当該情報記録再生装置１０００の動作について説明する。なお、以下の説明においては、プライベートデータが、中間管理情報、付帯情報または特徴データである場合について説明する。【００９８】
まず、隙間領域に記録されたプライベートデータのうち、中間状態管理情報を使用する場合について説明する。システムコントローラ１１７は、プライベート用システムファイルに基づいて中間状態管理情報を読み出すと、当該中間状態管理情報をメモリ（図示せず）に記憶する。そして、ユーザの操作によって操作部１１８から番組の再生を行なう旨の信号がシステムコントローラ１１７に入力されると、当該システムコントローラ１１７は、上述のように各部を制御することによって光ディスク１０２に記録された映像データストリームの再生を行なう。【００９９】
次に、隙間領域に記録されたプライベートデータのうち、付帯情報を使用する場合について説明する。システムコントローラ１１７は、プライベート用システムファイルに基づいて付帯情報を読み出すと、当該付帯情報をメモリ（図示せず）に記憶する。そして、ユーザが、操作部１１８を操作することによって図示しない表示手段に表示された付帯情報選択画面から所定の付帯情報を選択すると、システムコントローラ１１７は、前記メモリから対応する付帯情報を読み出してビデオ入出力部１１５に出力する。したがって、例えば、前記付帯情報選択画面において、録画日時を表示する旨が選択された場合、システムコントローラ１１７は、録画日時に対応する情報をメモリから読み出してビデオ入出力部１１５に出力する。そして、ビデオ入出力部１１５は、入力された付帯情報をビデオ信号に重畳して前記表示手段に出力する。そうすると、当該表示手段において録画日時が表示される。【０１００】
なお、例えば、光ディスク１０２に記録された番組に対応する付帯情報に、当該番組の次回の放送日時の情報（以下、次回放送情報ともいう）が含まれている場合には、当該次回放送情報に基づいてシステムコントローラ１１７が各構成を制御することによって、当該番組の次回の放送を自動的に録画するようにしてもよい。【０１０１】
以上のように、隙間領域に付帯情報を記録することで、光ディスク１０２におけるレイヤ１の記録領域を有効に利用するとともに、ユーザの利便性を高くすることができる。また、次回放送情報に基づいて自動的に録画をすることで、ユーザの設定ミス等を回避して、確実にユーザ所望の番組を録画することができる。【０１０２】
次に、隙間領域に記録されたプライベートデータのうち、特徴データを使用する場合について説明する。システムコントローラ１１７は、プライベート用システムファイルに基づいて特徴データを読み出すと、当該特徴データをメモリ（図示せず）に記憶する。そして、システムコントローラ１１７は、当該特徴データを解析して、解析の結果に対応する映像データストリームを読み出すように、入出力制御部１１０を介して、光学ドライブ１０１を制御する。そして、光学ドライブ１１０において読み出された映像データストリームは、上述したように、伸張処理等が行なわれた後、外部機器に出力される。【０１０３】
なお、前記特徴データの解析は以下のようにして行なうことができる。例えば、前記特徴データが、光ディスク１０２に記録された番組における所定時間内の映像と対応付けられた値を有する場合（例えば、当該番組を所定の時間毎に分割し、分割単位の音声レベルに応じて値を付した場合。この場合、例えば、スポーツ番組の得点シーンにおいては歓声が大きくなることから、当該得点シーンに付される値が大きな値となる。）には、当該値と所定のしきい値とを比較する。そして、当該しきい値よりも大きい値を有する特徴データに対応する映像データストリームを光ディスク１０２から読み出す。そうすると、前記しきい値よりも大きい値を有する特徴データに対応する映像データストリームのみを読み出して要約再生のような特殊再生をすることができる。また、容易に所望の映像を検索することができる。【０１０４】
以上のように、隙間領域に特徴データを記録することで、光ディスク１０２におけるレイヤ１の記録領域を有効に利用するとともに、要約再生等の特殊再生または簡易な映像検索を可能としユーザの利便性を高くすることができる。【０１０５】
また、付帯情報等のプライベートデータは、ＤＶＤ規格に規定された再生制御データでは取り扱うことができない。しかしながら、当該プライベートデータを隙間領域に記録し、プライベートデータ用システムファイルデータを光ディスク１０２の所定の位置に記録することによって当該プライベートデータを利用することが可能となる。【０１０６】
なお、以上の説明においては、情報の記録または再生を行なう情報記録再生装置１０００を例に説明したが、光学ドライブ１０１を読み込み専用とし、圧縮／伸長処理部１１１を伸張処理のみを行なう伸長処理部に置き換えることで再生装置を構成することができる。なお、当該再生装置においては、プライベートデータが記録された後、ファイナライズ処理された光ディスクを再生することができる。【０１０７】
また、以上の説明においては、情報記録再生装置１０００の全体における各構成を制御するシステムコントローラ１１７と、光学ドライブ１０１における各構成を制御するドライブ用システムコントローラ１１９とを別個に構成する場合について説明したが、システムコントローラ１１７とドライブ用システムコントローラ１１９とを一体に構成してもよい。【０１０８】
実施の形態４．
実施の形態１〜３においては、光ディスク１０２がＤＶＤ−Ｒのように１度に限り情報の書き込みが可能な記録媒体である場合について説明した。以下、実施の形態４においては、ＤＶＤ−ＲＷのように情報の書換えが可能な光ディスクの場合について説明する。なお、以下の説明においては、光ディスク１０２として、２つの記録層を有するＤＶＤ−ＲＷを使用し、Ｌａｙｅｒ  Ｊｕｍｐ  Ｒｅｃｏｒｄｉｎｇ方式で情報の記録を行なう場合について説明する。なお、以下の説明においては、実施の形態１〜３において説明した事項と同一の事項については同一の符号付し、当該事項についての説明を省略する。【０１０９】
ＤＶＤ−ＲＷのような書換え可能な光ディスク（記録媒体）の場合には、既に情報の記録をした領域に、新たな情報を上書き（オーバーライト）することができる。したがって、既にパディングを行なった隙間領域（以下、パディングを行なった隙間領域中の領域を「パディング領域」ともいう）であっても、実施の形態２において説明したプライベートデータ等の情報を新たに記録することができる。しかしながら、パディング領域に対応する開始ＰＳＮおよび最終ＰＳＮは、ＲＭＤから削除されてしまう。すなわち、隙間領域にパディングを行なった後においては、光ディスク１０２におけるパディング領域の位置を特定することができない。よって、当該パディング領域に新たな情報を上書きするためには、光ディスク１０２上におけるパディング領域の位置を特定するための情報（以下、パディング領域情報ともいう）を管理する必要がある。そこで、実施の形態４の光ディスク１０２においては、以下のようにして、パディング領域情報を管理する。なお、以下の説明においては、パディング領域情報として、パディング領域の開始ＰＳＮおよび最終ＰＳＮを使用する場合について説明する。【０１１０】
図８は、実施の形態４の光ディスク１０２におけるパディング領域情報の管理の一例を説明するための説明図である。図８（１）は、図７（１）の状態からＲゾーン＃ｎ＋３  ６０２およびＲゾーン＃ｎ＋４  ６０３に情報の記録を行なった状態（すなわち、記録済みの状態）を模式的に示した模式図である。この状態においては、第１の隙間領域３０４、第２の隙間領域６０４および第３の隙間領域６０５が存在する。【０１１１】
実施の形態１において説明したように、隙間領域のブランクエリアは所定のタイミングでパディングされる。例えば、光ディスク１０２に存在する隙間領域のブランクエリアの総数が規定数（例えば８個）を超えた場合、または、ボーダークローズを行なう場合等において当該ブランクエリアに対してパディングが行なわれる。したがって、例えば、図８（１）における第３の隙間領域６０５が発生した時点において、光ディスク１０２に存在する隙間領域上のブランクエリアの総数が規定数を超えた場合、図５に示したフローチャートに従って、光ディスク１０２における隙間領域のブランクエリアに対してパディングが行なわれる。【０１１２】
図８（２）は、隙間領域のブランクエリアにパディングを行なった状態を模式的に示した模式図である。図８（２）において、７０１は、図５に示したフローチャートに従って第１の隙間領域３０４のブランクエリアに対してパディングが行なわれた領域である。図８（２）のように、第１の隙間領域３０４のブランクエリアに対してパディングを行なった場合、当該情報記録再生装置１０００は、当該ブランクエリアに対応する開始ＰＳＮおよび最終ＰＳＮをＲＭＤから削除する。なお、以下、図８（２）において７０１で示した領域を第１のパディング領域７０１ともいう。【０１１３】
一方、情報記録再生装置１０００は、ＲＭＤから削除した開始ＰＳＮおよび最終ＰＳＮをパディング領域情報として光ディスク１０２の所定の位置に記録する。例えば、図８（２）に示すように、第１の隙間領域３０４の外周側に位置する第２の隙間領域６０４のブランクエリアにおける領域７０２にパディング領域情報を記録する。なお、以下の説明においては、パディング領域情報を記録した領域をパディング領域情報管理領域ともいう。【０１１４】
なお、パディング領域情報の情報量が、隙間領域のブランクエリアの記録容量（サイズ）よりも小さい場合、当該隙間領域に新たなブランクエリアが形成される。よって、情報記録再生装置１０００は、当該新たなブランクエリアの開始ＰＳＮおよび最終ＰＳＮを最新ＲＭＤとしてＲＭＡに記録する。例えば、図８（２）においては、パディング領域情報管理領域７０２が形成された際、隙間領域のブランクエリアが、図８（１）において６０４で示した範囲から、図８（２）において７０３で示した範囲となる。そうすると、情報記録再生装置１０００は、ブランクエリア７０３に対応する開始ＰＳＮおよび最終ＰＳＮを最新ＲＭＤとしてＲＭＡに記録する。【０１１５】
図８（３）は、パディング領域情報管理領域およびブランクエリアを含む隙間領域における当該ブランクエリアに対してパディングを行なう場合を説明するための説明図である。図８（２）の状態においては、第２の隙間領域６０４に、パディング領域情報管理領域７０２およびブランクエリア７０３が含まれる。そして、図８（２）の状態において、ブランクエリア７０３に対してパディングを行なう場合、当該情報記録再生装置１０００は、第２の隙間領域６０４全体に対してパディングを行なう。すなわち、ブランクエリア７０３だけでなく、パディング領域情報管理領域７０２に対してもパディングを行なう。そして、当該情報記録再生装置１０００は、第１のパディング領域７０１に対応するパディング領域情報およびパディング領域７０４（以下、第２のパディング領域７０４ともいう）に対応するパディング領域情報を第３の隙間領域６０５におけるブランクエリアに記録する。【０１１６】
なお、図８（３）において、７０５は、第１のパディング領域７０１に対応するパディング領域情報および第２のパディング領域７０４に対応するパディング領域情報を記録したパディング領域情報管理領域である。また、７０６は、第３の隙間領域６０５へのパディング領域情報の記録にともなって当該第３の隙間領域６０５に形成された新たなブランクエリアである。【０１１７】
なお、図８（３）の状態において、隙間領域６０５のブランクエリア７０６に対してのみパディングを行ない、当該ブランクエリア７０６に対応する開始ＰＳＮおよび最終ＰＳＮをパディング領域情報管理領域７０５に更に記録するようにしてもよい。【０１１８】
例えば、図８（３）の状態において、ボーダークローズ処理またはファイナライズ処理を行なう場合、当該光ディスクのブランクエリアに対してパディングが行なわれる。この場合、上述のように、隙間領域６０５のブランクエリア７０６に対してのみパディングを行ない、当該ブランクエリア７０６に対応する開始ＰＳＮおよび最終ＰＳＮをパディング領域情報管理領域７０５に更に記録することによって、光ディスク１０２におけるパディング領域全てのパディング領域情報を一括管理できる。【０１１９】
なお、光ディスク１０２におけるパディング領域全てのパディング領域情報を１つのパディング領域情報管理領域に記録する場合には、当該パディング領域情報管理領域のサイズが、隙間領域のブランクエリアのサイズを超える場合が生じ得る。この場合には、１の隙間領域のブランクエリアにパディング領域情報を順次記録し、当該ブランクエリアに記録することができなかったパディング領域情報を当該１のブランクエリアの外周側に位置する他の隙間領域のブランクエリアに記録すればよい。また、当該他の隙間領域ではなく、他の記録領域を使用するようにしてもよい。【０１２０】
また、パディング領域情報管理領域７０５は記録された最終のＲゾーンであるＲゾーン６０３の最終ＰＳＮに隣接しているので位置が特定しやすいために隙間領域６０５の開始ＰＳＮ側に配置しているが、記録された最終のＲゾーンであるＲゾーン６０３の開始ＰＳＮから計算して位置を特定できる隙間領域６０５の最終ＰＳＮ側に配置してもよい。【０１２１】
図９は、実施の形態４の光ディスク１０２におけるパディング領域情報の管理の他の例を説明するための説明図である。なお、以下の説明においては、既に説明した構成については同一の符号を付し、説明を省略する。【０１２２】
図９（１）は、図７（１）の状態からＲゾーン＃ｎ＋３  ６０２、Ｒゾーン＃ｎ＋４  ６０３、Ｒゾーン＃ｐ  ８０１、Ｒゾーン＃ｐ＋１  ８０２までのＲゾーンを記録済みにした状態である。なお、実際には、Ｒゾーン＃ｎ＋４  ６０３からＲゾーン＃ｐ  ８０１（４＜ｐ≦ｎ，ｎは整数かつ任意の数）までの領域は、記録済みであるかまたはＲゾーンの予約が行なわれているが、図を簡易にするため、斜線を付して当該領域を省略して示した。【０１２３】
図９（１）の状態において、第１の隙間領域３０４のブランクエリアにパディングを行なった場合、当該第１の隙間領域３０４はパディング領域７０１となる。そして、当該情報記録再生装置１０００は、パディング領域７０１に対応するパディング領域情報をＲゾーン＃ｐ＋２  ８０３に記録する。そうすると、Ｒゾーン＃ｐ＋２  ８０３がパディング領域情報管理領域となる。以上のように、パディング領域情報をＲゾーンに記録した場合（すなわち、パディング領域情報をファイルとして登録する場合）、再生制御データ等の管理を行なうファイルシステムにおいても、パディング領域情報管理領域を認識することが可能となる。【０１２４】
上述のように、パディングを行なったブランクエリアの開始ＰＳＮおよび最終ＰＳＮはＲＭＡから削除されてしまう。そうすると、プライベートデータの場合において説明したように、再生制御データ等の管理を行なうファイルシステムにおいては、当該隙間領域に記録された情報を認識することができない。したがって、隙間領域に記録された情報を認識するために、再生制御データ等の管理を行なうファイルシステムとは別個のファイルシステム（以下、隙間領域用ファイルシステムともいう）を設ける必要がある。【０１２５】
しかしながら、図９において説明したように、パディング領域情報をＲゾーンに記録した場合、再生制御データ等の管理を行なうファイルシステムにおいても、パディング領域情報管理領域を認識することが可能となる。そうすると、隙間領域用ファイルシステムを備えていない装置においても、当該パディング領域情報管理領域を参照することによって、パディング領域への情報の記録や、当該情報の再生を行なうことが可能となる。【０１２６】
また、パディング領域情報をＲゾーンに記録する場合、例えば、図９（２）の状態から第２の隙間領域６０４のブランクエリアをパディングすることによってパディング領域が増加した場合であっても、パディング領域情報８０４を更新することで最新のパディング情報を構築することができる。なお、パディング領域情報をＲゾーンに記録した場合においてはファイルシステムデータを更新する必要がある。【０１２７】
以上の説明のように、実施の形態４における情報記録再生装置１０００によれば、パディング領域情報を光ディスク１０２に記録することができる。したがって、ＤＶＤ−ＲＷのような書き換え可能な記録媒体において、隙間領域に対してパディングを行なった後においても、パディング領域を検出することが可能となる。したがって、例えば、隙間領域に対してパディングを行なった後においても、プライベートデータ等の記録を当該隙間領域に行なうことが可能となる。【０１２８】
なお、パディング領域にプライベートデータを記録する場合等においては、以下のようにして当該パディング領域の検出を行なう。すなわち、当該情報記録再生装置１０００において、光ディスク１０２におけるパディング領域情報管理領域にアクセスし、当該パディング領域情報管理領域に記録されたパディング領域情報を読み出す。次に、プライベートデータの記録を行なうパディング領域の開始ＰＳＮおよび最終ＰＳＮを取得する。そして、検出した開始ＰＳＮおよび最終ＰＳＮに基づいて、実施の形態２において説明したようにプライベートデータの記録を行なう。【０１２９】
なお、隙間領域用システムファイルの光ディスク１０２への記録等は、実施の形態２において説明したプライベートデータ用ファイルシステムの光ディスク１０２への記録等と同様に行なえばよい。また、隙間領域に記録したプライベートデータの再生等は、実施の形態３において説明した場合と同様である。【０１３０】
また、隙間領域に記録したプライベートデータを削除した場合には、プライベートデータが記録されていた隙間領域の開始ＰＳＮおよび最終ＰＳＮをパディング領域情報に記録する。そして、プライベートデータの中間状態管理情報またはファイルシステムデータから削除したプライベートデータに対応する情報を削除する。【０１３１】
また、以上の説明においては、パディング領域情報として、パディング領域の開始ＰＳＮおよび最終ＰＳＮを使用する場合について説明したが、例えば、当該開始ＰＳＮおよびパディング領域のサイズを示す情報を当該パディング領域情報としてもよい。
【図面の簡単な説明】
【０１３２】
【図１】この発明の実施の形態１における情報記録再生装置の構成を示すブロック図である。
【図２】ＤＶＤ−Ｖｉｄｅｏフォーマットによって、光ディスク１０２にデータの記録を行なう従来の手順を説明するための説明図である。
【図３】Ｒゾーンを規定する情報を模式的に示した模式図である。
【図４】この発明の実施の形態１における、光ディスク１０２への情報の記録を説明するための説明図である。
【図５】情報記録再生装置において、隙間領域に対してパディング処理を行なうか否かを判断するためのフローチャートである。
【図６】各隙間領域に対するパディング処理の可否を示す情報の一例を説明するための説明図である。
【図７】隙間領域の管理方法を説明するための説明図である。
【図８】この発明の実施の形態４の光ディスク１０２におけるパディング領域情報の管理の一例を説明するための説明図である。
【図９】この発明の実施の形態４の光ディスク１０２におけるパディング領域情報の管理の他の例を説明するための説明図である。
【符号の説明】
【０１３３】
１０１  光学ドライブ、１０２  光ディスク、１０３  スレッドモータ、１０４  光学ヘッド、１０５  スピンドルモータ、１０６  駆動制御部、１０７  アナログフロントエンド部、１０８  光学ドライブ信号処理部、１０９  ドライブ用システムコントローラ、１１０  入出力制御部、１１１  圧縮／伸長処理部、１１２  多重化処理部、１１３  ビデオ処理部、１１４  オーディオ処理部、１１５  ビデオ入出力部、１１６  オーディオ入出力部、１１７  システムコントローラ、１１８  操作部。
【図１】
2006080108.tif 000002
【図２】
2006080108.tif 000003
【図３】
2006080108.tif 000004
【図４】
2006080108.tif 000005
【図５】
2006080108.tif 000006
【図６】
2006080108.tif 000007
【図７】
2006080108.tif 000008
【図８】
2006080108.tif 000009
【図９】
2006080108.tif 000010
【国際調査報告】
2006080108.tif 000011
2006080108.tif 000012